(57)【要約】      （修正有）【課題】前身頃と後身頃で編地の伸縮を違え、猫背を矯正できるようにした肌着について、編成の手間やコストを省き、体裁を良くするフライス編み肌着を提供する。【解決手段】フライス編機によって、前身頃１１と後身頃１２とが一体に編成されたフライス編みの肌着１０について、前身頃１１の編地のループ長を、後身頃１２の編地のループ長よりも大きくした。ループの大小と編地の伸縮の大小とは比例するため、前身頃１１のほうが、後身頃１２よりも伸縮性が大きくなる。したがって、肌着１０の着用時に胸を張りやすく背中を曲げにくく、背筋が伸びて猫背が矯正される。前身頃１１と後身頃１２とが同じフライス編みによって一体に編成されるため、編み方や糸の種類を前後で変える手間やコストが省かれる。肌着１０の前後が同じフライス編みであるため、風合いの差がなくて体裁が良い。一体に編成されるため、前身頃１１と後身頃１２の境界に縫い目ができることもなく、着心地も良い。【選択図】図１
0003142101.tif 000002
【実用新案登録請求の範囲】
【請求項１】
フライス編機２０により前身頃１１と後身頃１２とが一体に編成され、この前身頃１１と後身頃１２の各編地のループ長が以下の関係を満足するフライス編み肌着。
前身頃１１の編地のループ長＞後身頃１２の編地のループ長
【請求項２】
前記前身頃１１は上下に区画され、この上下の前身頃１１間に左右に延びる胸元部１４が一体に編成され、前記前身頃１１と後身頃１２と胸元部１４の各編地のループ長が以下の関係を満足する請求項１に記載のフライス編み肌着。
胸元部１４の編地のループ長＞前身頃１１の編地のループ長＞後身頃１２の編地のループ長
【請求項３】
前記前身頃１１は左右に区画され、この左右の前身頃１１間に上下に延びる谷間部１３が一体に編成され、前記前身頃１１と後身頃１２と谷間部１３の各編地のループ長が以下の関係を満足する請求項１または２に記載のフライス編み肌着。
前身頃１１の編地のループ長＞谷間部１３の編地のループ長≧後身頃１２の編地のループ長
【考案の詳細な説明】
【技術分野】
【０００１】
この考案は、フライス編機によって、前身頃と後身頃とが一体に編成された猫背矯正用のフライス編み肌着に関する。
【背景技術】
【０００２】
肌着について、前身頃と後身頃とで編地の編みかたや使用する糸の種類を変えることで、前身頃よりも後身頃の伸縮性を小さくしたものが市販されている。
これを着用すると、背中を丸めにくいために背筋が伸びて、猫背を矯正できるようになっている。
【０００３】
しかし、前身頃と後身頃との編みかたや糸の種類を変えると、肌着の前と後で風合いの違いが出るため、体裁が悪かった。
特に前身頃と後身頃とを別々に編成した後に縫製する場合、前身頃と後身頃の境界に縫い目が現れるため、見苦しく、またこの縫い目がチクチクして肌触りも悪かった。
さらに、前身頃と後身頃で編み方を変えたり、別々に編成したり、前身頃と後身頃とで給糸装置を切り替えて異なる糸を給糸したりするのは、手間やコストがかかった。
【考案の開示】
【考案が解決しようとする課題】
【０００４】
そこで、この考案の解決すべき課題は、前身頃と後身頃で編地の伸縮を違え、猫背を矯正できるようにした肌着について、編成の手間やコストを省き、体裁を良くすることである。
【課題を解決するための手段】
【０００５】
そこで、本考案者は、フライス編機によって、前身頃と後身頃とが一体に編成されたフライス編みの肌着について、前身頃の編地のループ長を、後身頃の編地のループ長よりも大きくしたのである。
ループの大小と編地の伸縮の大小とは比例するため、前身頃のほうが、後身頃よりも伸縮性が大きくなる。
【０００６】
この肌着は、前身頃の編地はよく伸び、後身頃の編地はあまり伸びないため、着用時に背中を曲げにくく、胸を張りやすく、背筋が伸びて猫背が矯正される。
また、前身頃と後身頃とが同じフライス編みによって一体に編成されるため、編み方や糸の種類を前後で変える手間やコストが省かれる。
さらに、肌着の前後が同じフライス編みであるため、風合いの差がなくて体裁が良い。
このように一体に編成されるため、前身頃と後身頃の境界に縫い目ができることもなく、着心地も良い。
【０００７】
さらに、本考案者は、前記前身頃を上下に区画し、この上下の前身頃間に左右に延びる胸元部を一体に編成したフライス編みの肌着において、この胸元部の編地のループ長を、上下の前身頃の編地のループ長よりもさらに大きくしたのである。
この肌着では、編地の伸縮性の大きさは、胸元部＞前身頃＞後身頃となる。
【０００８】
段落０００６に記載したのと同様の効果に加えて、胸元部の伸縮性が特に大きいため、女性がこの肌着を着用した際に、胸の部分に圧迫感を覚えず、着心地がいい。
また、胸が伸縮性の大きな胸元部に収まって、上下に揺れ動くのが抑制されるため、運動時や作業時に邪魔にならない。
【０００９】
さらに、本考案者は、前記前身頃を左右に区画し、この左右の前身頃間に上下に延びる谷間部を一体に編成したフライス編みの肌着において、この谷間部の編地のループ長を、前身頃の編地のループ長よりも小さく、後身頃の編地のループ長と同じかまたは大きくしたのである。
この肌着では、編地の伸縮性の大きさは、前身頃＞谷間部≧後身頃となる。
【００１０】
段落０００６に記載したのと同様の効果に加えて、谷間部の伸縮性が前身頃よりも小さいため、女性がこの肌着を着用した場合に、胸の谷間に谷間部が入り込んで左右の胸が位置決めされ、左右の揺れ動きが防止されて運動時や作業時に邪魔にならない。
また、胸の谷間が強調されることになり、ボディラインが綺麗にも見える。
【考案の効果】
【００１１】
フライス編機によって、前身頃と、後身頃とが一体に編成されたフライス編みの肌着について、前身頃の伸縮性を大きく、後身頃の伸縮性を小さくしたので、これを着用すると背筋が伸びて猫背が矯正される。
前身頃と後身頃をフライス編みで一体に編成するため、手間やコストがかからず、肌着の前後で風合いの差がなく体裁が良い。
【考案を実施するための最良の形態】
【００１２】
図１に示す実施形態のフライス編みの肌着１０は、後述する改造したフライス編機によって、前身頃１１と後身頃１２とが一体に編成されている。
肌着１０の上部には、首を通す襟口１０ａ、腕を通す袖口１０ｂが設けられ、肌着１０の下部には裾口１０ｃが設けられている。
【００１３】
その前身頃１１は上下左右に区画され、前身頃１１の左右間には、襟口１０ａから裾口１０ｃにかけて上下に延びる谷間部１３が一体に編成されている。
また、前身頃１１の上下間であって襟口１０ａや袖口１０ｂよりも下方の胸元に相当する部分には、左右に延びて前身頃１１を横断する胸元部１４が一体に編成されている。
谷間部１３の左右幅は、１０〜２５ｍｍ程度、胸元部１４の上下幅は、５ｃｍ〜１５ｃｍ程度であるのが標準的な体型の女性にとって好ましい。
後身頃１２は、区画されることなく均一の構成となっている。
【００１４】
図２のように、前身頃１１、後身頃１２、谷間部１３、胸元部１４のフライス編み組織のループ長を比較すると、胸元部１４のループ長Ｈ４＞前身頃１１のループ長Ｈ１＞谷間部１３のループ長Ｈ３＝後身頃１２のループ長Ｈ４となっている。
【００１５】
ループ長が大きいほど伸縮が大きいため、胸元部１４の伸縮の大きさ＞前身頃１１の伸縮の大きさ＞谷間部１３の伸縮の大きさ＝後身頃１２の伸縮の大きさとなっている。
【００１６】
この肌着１０の各部位１１、１２、１３、１４は同じフライス編みにより一体に編成されており、風合いが各部位間であまり変わらず、境界が見えないため、非常に体裁が良い。
またこの肌着１０を女性が着用すると、後身頃１２があまり伸びず前身頃１１がよく伸びるため、胸を張りやすく背中を丸めにくいので背筋が伸び、猫背が矯正される。
【００１７】
肌着１０の胸元部１４の伸縮性が特に大きいため、胸に圧迫感を覚えず、着心地が良い。
さらに、前身頃１１よりも谷間部１３の伸縮性が小さいため、胸の谷間に谷間部１３が入り込み、胸の谷間が強調されてボディラインが綺麗に見える。
【００１８】
そして、着用者の胸は、胸元部１４にほぼ収まって上下方向に位置決めされるとともに、その谷間に谷間部１３が入り込むことで左右方向にも位置決めされる。
したがって、胸が上下左右に揺れ動くことが防止され、運動がしやすくなる。
【００１９】
肌着の材料は特に限定されず、たとえばナイロン、ポリエステル、綿などでもよいが、絹糸を用いると、肌触りがよく、光沢が出て見た目もよいため好ましい。
場合により、ポリウレタンなどの弾性糸、ゴム糸を用いて、肌着に弾性を付与してもよい。
弾性糸やゴム糸を用いた場合にも、編地の弾性力は密度に比例するため、ループ長が大きい、すなわち編地の密度が小さいほど伸縮しやすく、ループ長が小さい、すなわち編み地の密度が大きいほど伸縮しにくくなる。
【００２０】
この実施形態では、谷間部１３と後身頃１２のループの大きさを同じにしているが、これに限定されず、後身頃１２のループを谷間部１３よりも小さくしてもよい。
猫背を矯正する効果以外は、特に不要な場合には、谷間部１３や胸元部１４を省略すればよい。
谷間部１３や胸元部１４の形状は実施形態に限定されず、たとえば外縁が波状に湾曲していても良い。
【００２１】
この肌着１０を編成するには、一般的なフライス編機の編み針に手を加えた編機を用いる（特開２００７−１１３１３１号公報参照）。
図３および図４のように、編み針が改造されたフライス編機２０は、円筒形のシリンダ２１と、このシリンダ２１の上方に同軸心に配置された円板形のダイヤル２２とを備え、これらは、前記軸心を中心に同調して回転駆動するようになっている。
【００２２】
シリンダ２１の外周には軸方向に延びる複数の針溝２１ａが形成されており、各針溝２１ａには編み針としてのシリンダ針２３がスライド可能に装填されている。
また、ダイヤル２２の上面には、放射方向に延びる複数の針溝２２ａが形成されており、各針溝２２ａには編み針としてのダイヤル針２４がスライド可能に装填されている。
装填状態で、シリンダ針２３とダイヤル針２４の針先が向かい合っている。
【００２３】
図５のように、シリンダ針２３およびダイヤル針２４はほぼ同様の構造であり、その針先に糸を引っ掛けるための鉤２３ａ、２４ａと、この鉤２３ａ、２４ａを開閉するための回転自在のベラ２３ｂ、２４ｂと、が設けられている。
また、その後端側には側方に膨出するバット２３ｃ、２４ｃが設けられており、ここではバット２３ｃ、２４ｃの幅Ｗ１，Ｗ２が異なるものが複数種用意されている。
市場に流通しているフライス編機では、シリンダ針およびダイヤル針のバットの幅が均一になっているので、ここでは、バットの一部を切削するなど加工を施してその幅を違えている。
【００２４】
このバット２３ｃ、２４ｃは、図３および図４のように、シリンダ針２３をシリンダ２１の針溝２１ａに装填し、ダイヤル針２４をダイヤル２２の針溝２２ａに装填した状態で、針溝２１ａ、２２ａ外に突出している。
【００２５】
さらに、シリンダ２１の外周に沿ってシリンダカム２５が配置され、ダイヤル２２に沿ってダイヤルカム２６が配置されている。
シリンダカム２５およびダイヤルカム２６は、それぞれ対向する上げ山と下げ山とを有してその間にカム溝２５ａ、２６ａが形成されており、このカム溝２５ａ、２６ａにシリンダ針２３およびダイヤル針２４の針溝２１ａ、２２ａから突出したバット２３ｃ、２４ｃがそれぞれはめ込まれている。
【００２６】
ここで、バット２３ｃ、２４ｃとカム溝２５ａ、２６ａとの間には若干の隙間がある。
当然のことながら、バット２３ｃ、２４ｃの幅が広いものは上記隙間は小さく、幅が狭いものは上記隙間は大きい。
【００２７】
シリンダ２１、ダイヤル２２の回転により、各シリンダ針２３およびダイヤル針２４は、そのバット２３ｃ、２４ｃがシリンダカム２５、ダイヤルカム２６の上げ山に押し上げられ、また下げ山に押し下げられる。
すなわちカム溝２５ａ、２６ａに案内されることで、シリンダ針２３はシリンダ21の軸方向に昇降動し、ダイヤル針２４はダイヤル２２の放射方向に進退動するようになっている。
【００２８】
このとき、カム溝２５ａ，２６ａとバット２３ｃ、２４ｃとの隙間が大きいと、それだけバット２３ｃ、２４ｃが上げ山に押し上げられ、下げ山に押し下げられる量が小さくなる。
バット２３ｃ、２４ｃの押し上げ下げの量が小さいと、シリンダ針２３の昇降、ダイヤル針２４の進退のストローク量が小さくなる。
逆に、隙間が小さいと、バット２３ｃ、２４ｃの押し上げ下げの量が大きくなり、それだけシリンダ針２３、ダイヤル針２４のストローク量が大きくなる。
【００２９】
フライス編みの編成は、図示しない給糸装置からの給糸２７を、シリンダ針２３とダイヤル針２４を昇降動および進退動させて、その鉤２３ａ、２４ａで引っ掛け、あるいは引っ掛けたものを離すことでループを形成し、これを連続的におこなうことによる。
【００３０】
具体的には、図６（ａ）から（ｂ）のように、給糸２７は、上昇してベラ２３ｂを開いたシリンダ針２３の鉤２３ａに引っ掛けられ、引っ掛けられた状態でシリンダ針２３が下降することで、図６（ｃ）のように先に形成されたループＬ１をくぐり抜ける。
ちなみに、くぐり抜ける際にベラ２３ｂはループＬ１に押されて閉じられる。
【００３１】
次いで、ループＬ１をくぐった給糸２７は、図６（ｃ）から（ｄ）のように、前進してベラ２４ｂを開いたダイヤル針２４の鉤２４ａに引っ掛けられ、引っ掛けられた状態でダイヤル針２４が後退することで、ループＬ１の隣のループＬ２をくぐり抜ける。
上記したのと同様に、くぐり抜けの際にベラ２４ｂは閉じられる。
このようにして、２つのループＬ３、Ｌ４が新たに形成される。
【００３２】
この状態から再びシリンダ針２３が上昇すると、ベラ２３ｂが開いてループＬ３を離し、ついで給糸２７を引っ掛けて下降することでループＬ３をくぐらせる。
そしてダイヤル針２４が再び前進すると、ベラ２４ｂが開いてループＬ４を離し、給糸２７を引っ掛けて後退することでループＬ４をくぐらせる。
すると、後続のループが２つ形成されることになる。
【００３３】
このようなシリンダ針２３の昇降動作、ダイヤル針２４の進退動作が繰り返されることで、前身頃１１と後身頃１２とが一体の円筒状フライス編み地が編成されてゆく。
この円筒状のフライス編み地の前身頃１１と後身頃１２の襟部１０ａ、袖部１０ｂを除いた上縁部同士、すなわち肩掛け部分に相当する箇所を縫い合わせると、実施形態の肌着１０が完成する。
【００３４】
ところでフライス編みのループ長は、シリンダ針２３の昇降、ダイヤル針２４の進退のストローク量が大きいほど大きくなることは、前述のループの編成工程から理解される。
このフライス編機２０では、上記のように、バット２３ｃ、２４ｃの幅Ｗ１，Ｗ２を異ならせ、隙間の大きさをシリンダ針２３、ダイヤル針２４間で異ならせることで、そのストローク量を調整し、形成されるループの大きさを調整している。
【００３５】
ここでは、バット２３ｃ、２４ｃの幅を、胸元部１４を編成する編み針のバットの幅＞前身頃１１を編成する編み針のバットの幅＞谷間部１３を編成する編み針のバットの幅＝後身頃１２を編成する編み針のバットの幅  となるように調整されている。
そのため、各部位１１、１２、１３、１４のループ長が、胸元部１４のループ長Ｈ４＞前身頃１１のループ長Ｈ１＞谷間部１３のループ長Ｈ３＝後身頃１２のループ長Ｈ２  となる実施形態の肌着１０が作製できることになる。
【図面の簡単な説明】
【００３６】
【図１】（ａ）は肌着の正面図、（ｂ）は肌着の背面図
【図２】肌着の編地の拡大図
【図３】フライス編機の要部斜視図
【図４】フライス編機の要部縦断面図
【図５】編み針の側面図
【図６】編み針の動きと、編地の編成との関係を示す模式図
【符号の説明】
【００３７】
１０  肌着
１０ａ  襟口
１０ｂ  袖口
１０ｃ  裾口
１１  前身頃
１２  後身頃
１３  谷間部
１４  胸元部
２０  フライス編機
２１  シリンダ
２１ａ  針溝
２２  ダイヤル
２２ａ  針溝
２３  シリンダ針
２３ａ  鉤
２３ｂ  ベラ
２３ｃ  バット
２４  ダイヤル針
２４ａ  鉤
２４ｂ  ベラ
２４ｃ  バット
２５  シリンダカム
２５ａ  カム溝
２６  ダイヤルカム
２６ａ  カム溝
２７  給糸
Ｈ１、Ｈ２、Ｈ３、Ｈ４  ループ長
Ｌ１、Ｌ２、Ｌ３、Ｌ４  ループ
Ｗ１、Ｗ２  バットの幅
【図１】
0003142101.tif 000003
【図２】
0003142101.tif 000004
【図３】
0003142101.tif 000005
【図４】
0003142101.tif 000006
【図５】
0003142101.tif 000007
【図６】
0003142101.tif 000008